【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
アプリケーションダウンロードサーバと通信するワイヤレスデバイスのグラフィックディスプレイ上にメッセージを提供するシステムにおいて、
各ワイヤレスデバイスがコンピュータプラットフォームとグラフィックディスプレイとをその上に備え、各ワイヤレスデバイスがワイヤレスネットワークと選択的な通信をする１つ以上のワイヤレスデバイスと、
ワイヤレスネットワークと選択的に通信し、各アプリケーションダウンロードサーバが１つ以上のワイヤレスデバイスと選択的に通信し、データをワイヤレスデバイスに選択的にダウンロードする１つ以上のアプリケーションダウンロードサーバとを具備し、
ワイヤレスデバイスがワイヤレスネットワークを通して少なくとも１つのアプリケーションダウンロードサーバとの通信を試行するときに、システムがワイヤレスネットワークを通してメッセージをワイヤレスデバイスのコンピュータプラットフォームに送信し、ワイヤレスデバイスが送信されたメッセージをそのグラフィックディスプレイ上に表示し、  ワイヤレスデバイスがワイヤレスネットワークを通して少なくとも１つのアプリケーションダウンロードサーバとの通信を試行するときに、メッセージがワイヤレスネットワークを通して第２のサーバからワイヤレスデバイスに送信されるシステム。
【請求項２】
メッセージはコンポーネントから構成され、
少なくとも１つのコンポーネントはワイヤレスネットワーク上の第２のサーバからワイヤレスデバイスに送信される請求項１記載のシステム。
【請求項３】
アプリケーションダウンロードサーバと通信するワイヤレスデバイスのグラフィックディスプレイ上にメッセージを提供するシステムにおいて、
各ワイヤレスデバイスがコンピュータプラットフォームとグラフィックディスプレイとをその上に備え、各ワイヤレスデバイスがワイヤレスネットワークと選択的な通信をする１つ以上のワイヤレスデバイスと、
ワイヤレスネットワークと選択的に通信し、各アプリケーションダウンロードサーバが１つ以上のワイヤレスデバイスと選択的に通信し、データをワイヤレスデバイスに選択的にダウンロードする１つ以上のアプリケーションダウンロードサーバとを具備し、
ワイヤレスデバイスがワイヤレスネットワークを通して少なくとも１つのアプリケーションダウンロードサーバとの通信を試行するときに、システムがワイヤレスネットワークを通してメッセージをワイヤレスデバイスのコンピュータプラットフォームに送信し、ワイヤレスデバイスが送信されたメッセージをそのグラフィックディスプレイ上に表示し、  ワイヤレスデバイスがワイヤレスネットワークを通して第２のアプリケーションダウンロードサーバとの通信を試行するときに、システムがワイヤレスネットワークを通して第２のメッセージをワイヤレスデバイスのコンピュータプラットフォームに送信し、ワイヤレスデバイスが送信された第２のメッセージをそのグラフィックディスプレイ上に表示するシステム。
【請求項４】
アプリケーションダウンロードサーバと通信するワイヤレスデバイスのグラフィックディスプレイ上にメッセージを提供するシステムにおいて、
各ワイヤレスデバイスがコンピュータプラットフォームとグラフィックディスプレイとをその上に備え、各ワイヤレスデバイスがワイヤレスネットワークと選択的な通信をする１つ以上のワイヤレスデバイスと、
ワイヤレスネットワークと選択的に通信し、各アプリケーションダウンロードサーバが１つ以上のワイヤレスデバイスと選択的に通信し、データをワイヤレスデバイスに選択的にダウンロードする１つ以上のアプリケーションダウンロードサーバとを具備し、
ワイヤレスデバイスがワイヤレスネットワークを通して少なくとも１つのアプリケーションダウンロードサーバとの通信を試行するときに、システムがワイヤレスネットワークを通してメッセージをワイヤレスデバイスのコンピュータプラットフォームに送信し、ワイヤレスデバイスが送信されたメッセージをそのグラフィックディスプレイ上に表示し、  ワイヤレスデバイスが少なくとも１つのアプリケーションダウンロードサーバ上のファイル構造とインターラクトし、ワイヤレスデバイスが少なくとも１つのアプリケーションダウンロードサーバ上のファイルとのインターラクションの変更を試行するときに、システムがワイヤレスネットワークを通してワイヤレスデバイスのコンピュータプラットフォームに第２のメッセージを送信し、ワイヤレスデバイスが送信された第２のメッセージをそのグラフィックディスプレイ上に表示するシステム。
【請求項５】
ワイヤレスデバイスのグラフィックディスプレイ上にメッセージを提供し、ワイヤレスデバイスはコンピュータプラットフォームを備え、ワイヤレスネットワークを通してアプリケーションダウンロードサーバと選択的に通信し、アプリケーションダウンロードサーバはデータをワイヤレスデバイスに選択的にダウンロードする方法において、
ワイヤレスネットワークを通してワイヤレスデバイスからアプリケーションダウンロードサーバへの通信を試行し、
ワイヤレスネットワークを通してワイヤレスデバイスにメッセージを送信し、メッセージはワイヤレスデバイスのグラフィックディスプレイ上に表示されるものであり、
ワイヤレスデバイスのコンピュータプラットフォームにおいて、送信されたメッセージを受信し、
ワイヤレスデバイスのグラフィックディスプレイ上に、送信されたメッセージを表示することを含み、
ワイヤレスネットワークを通してワイヤレスデバイスにメッセージを送信することは、ワイヤレスネットワークを通して第２のサーバからワイヤレスデバイスにメッセージを送信することを含む方法。
【請求項６】
メッセージはコンポーネントから構成され、
ワイヤレスネットワークを通してワイヤレスデバイスにメッセージを送信するステップは、
ワイヤレスネットワークを通してアプリケーションダウンロードサーバからワイヤレスデバイスにメッセージコンポーネントを送信することと、
ワイヤレスネットワークを通してワイヤレスネットワーク上の第２のサーバからワイヤレスデバイスにメッセージコンポーネントを送信することとからなり、
方法は、ワイヤレスデバイスのコンピュータプラットフォームにおいてメッセージコンポーネントをアセンブルすることをさらに含む請求項５記載の方法。
【請求項７】
ワイヤレスデバイスのグラフィックディスプレイ上にメッセージを提供し、ワイヤレスデバイスはコンピュータプラットフォームを備え、ワイヤレスネットワークを通してアプリケーションダウンロードサーバと選択的に通信し、アプリケーションダウンロードサーバはデータをワイヤレスデバイスに選択的にダウンロードする方法において、
ワイヤレスネットワークを通してワイヤレスデバイスからアプリケーションダウンロードサーバへの通信を試行し、
ワイヤレスネットワークを通してワイヤレスデバイスにメッセージを送信し、メッセージはワイヤレスデバイスのグラフィックディスプレイ上に表示されるものであり、
ワイヤレスデバイスのコンピュータプラットフォームにおいて、送信されたメッセージを受信し、
ワイヤレスデバイスのグラフィックディスプレイ上に、送信されたメッセージを表示し、  ワイヤレスネットワークを通してワイヤレスデバイスから第２のアプリケーションダウンロードサーバとの通信を試行し、
ワイヤレスネットワークを通してワイヤレスデバイスのコンピュータプラットフォームに第２のメッセージを送信し、
ワイヤレスデバイスのコンピュータプラットフォームにおいて第２のメッセージを受信し、
ワイヤレスデバイスのグラフィックディスプレイ上に送信された第２のメッセージを表示することを含む方法。
【請求項８】
ワイヤレスデバイスのグラフィックディスプレイ上にメッセージを提供し、ワイヤレスデバイスはコンピュータプラットフォームを備え、ワイヤレスネットワークを通してアプリケーションダウンロードサーバと選択的に通信し、アプリケーションダウンロードサーバはデータをワイヤレスデバイスに選択的にダウンロードする方法において、
ワイヤレスネットワークを通してワイヤレスデバイスからアプリケーションダウンロードサーバへの通信を試行し、
ワイヤレスネットワークを通してワイヤレスデバイスにメッセージを送信し、メッセージはワイヤレスデバイスのグラフィックディスプレイ上に表示されるものであり、
ワイヤレスデバイスのコンピュータプラットフォームにおいて、送信されたメッセージを受信し、
ワイヤレスデバイスのグラフィックディスプレイ上に、送信されたメッセージを表示し、
ワイヤレスデバイスから、アプリケーションダウンロードサーバ上のファイル構造とインターラクトし、
アプリケーションダウンロードサーバ上のファイルとのインターラクションの変更を試行し、
ワイヤレスネットワークを通してワイヤレスデバイスのコンピュータプラットフォームに第２のメッセージを送信し、
ワイヤレスデバイスのコンピュータプラットフォームにおいて第２のメッセージを受信し、
ワイヤレスデバイスのグラフィックディスプレイ上に送信された第２のメッセージを表示することを含む方法。
【請求項９】
コンピュータプラットフォームとグラフィックディスプレイとをその上に備え、ワイヤレスネットワークを通して１つ以上のアプリケーションダウンロードサーバと選択的に通信し、各アプリケーションダウンロードサーバはデータをワイヤレスデバイスに選択的にダウンロードし、ワイヤレスデバイスがワイヤレスネットワークを通して少なくとも１つのアプリケーションダウンロードサーバとの通信を試行するときに、ワイヤレスデバイスのコンピュータプラットフォームがワイヤレスネットワークを通して送信されたメッセージを受信し、ワイヤレスデバイスが送信されたメッセージをそのグラフィックディスプレイ上に表示するワイヤレスデバイスにおいて、
ワイヤレスデバイスが少なくとも１つのアプリケーションダウンロードサーバ上のファイル構造とインターラクトし、ワイヤレスデバイスが少なくとも１つのアプリケーションダウンロードサーバ上のファイルとのインターラクションの変更を試行するときに、ワイヤレスデバイスがそのコンピュータプラットフォームにおいて、送信された第２のメッセージを受信し、送信された第２のメッセージをワイヤレスデバイスのグラフィックディスプレイ上に表示するワイヤレスデバイス。